(57)【要約】【課題】筐体の一部の板厚を薄くしたとしても、所望の規格の要求を満たす。【解決手段】本実施形態のインバータ装置は、筐体の一部に所定の規格により定められた板厚よりも薄い板厚である薄肉部を有するインバータ装置であって、その薄肉部を金属製の板部材によって覆ったことを特徴とする。【選択図】図３
2013055807.tif 000002
【特許請求の範囲】
【請求項１】
筐体の一部に所定の規格により定められた板厚よりも薄い板厚である薄肉部を有するインバータ装置において、
前記薄肉部を金属製の板部材によって覆ったことを特徴とするインバータ装置。
【請求項２】
前記板部材は、前記薄肉部を覆う部材と前記薄肉部を覆わない部材とに分離して設けられていることを特徴とする請求項１に記載のインバータ装置。
【請求項３】
前記板部材は、前記薄肉部のうち前記筐体内の所定の部品に対応する部分を覆うことを特徴とする請求項１または２に記載のインバータ装置。
【請求項４】
前記筐体のうち前記板部材に覆われていない部分に、前記インバータ装置に関する情報を記載したラベルを貼付することを特徴とする請求項３に記載のインバータ装置。
【発明の詳細な説明】
【技術分野】
【０００１】
本発明の実施形態は、インバータ装置に関する。
【背景技術】
【０００２】
従来より、例えば特許文献１に開示されているように、外部からの配線が接続される配線口部などを、構造的な強度や電気的な安全性を確保すべくカバーによって覆うことが行われている。このような構造に係る安全性規格の１つである例えばＵＬ規格（ＵＬ：Underwriters Laboratories）のＴＹＰＥ１構造では、例えばインバータ装置のプラスチック製の筐体について、ＵＬ９４−５ＶＡという材料規格を満たしていること、筐体の板厚が所定値以上、例えば３ｍｍ以上であることが要求されている。
【０００３】
ところで、近年では、インバータ装置の小型化などの要請により、より小さい筐体内に多数の部品をいかに納めるかが課題となっている。そのため、筐体の一部の板厚を薄くすることで、より小さい筐体内に多数の部品を納めることが考えられている。
しかしながら、筐体の一部の板厚を薄くしてしまうと、例えば上記のようなＴＹＰＥ１構造を採用する場合に規格の要求を満たすことができなくなってしまう。
【先行技術文献】
【特許文献】
【０００４】
【特許文献１】米国特許第６６６４６８２号明細書
【発明の概要】
【発明が解決しようとする課題】
【０００５】
そこで、筐体の一部の板厚を薄くしたとしても、所望の規格の要求を満たすことができるインバータ装置を提供する。
【課題を解決するための手段】
【０００６】
本実施形態のインバータ装置は、筐体の一部に所定の規格により定められた板厚よりも薄い板厚である薄肉部を有するインバータ装置であって、その薄肉部を金属製の板部材によって覆ったことを特徴とする。
【図面の簡単な説明】
【０００７】
【図１】第１実施形態に係るインバータ装置の外観を概略的に示す斜視図
【図２】一般的な箱状カバー部材および板状カバー部材を取り付ける場合を説明するための図であり、（ａ）は各部材を取り付ける前の状態、（ｂ）は各部材を取り付けた後の状態を示すインバータ装置の斜視図
【図３】第１実施形態に係る図２相当図
【図４】箱状カバー部材、板状カバー部材、および、ラベルを取り付けた状態を示すインバータ装置の斜視図
【図５】第２実施形態に係る箱状カバー部材および板状カバー部材を取り付ける場合を説明するための図であり、（ａ）は各部材を取り付ける前の状態、（ｂ）は各部材を取り付けた後の状態を示すインバータ装置の斜視図
【図６】異なるインバータ装置に適用した場合を示す図５相当図
【図７】変形実施形態に係る図２相当図
【発明を実施するための形態】
【０００８】
（第１実施形態）
以下、第１実施形態を図１から図４を参照して説明する。図１は、インバータ装置１０の外観を概略的に示す斜視図である。なお、説明の便宜のため、図１に示す上下方向、左右方向および前後方向を、インバータ装置１０の上下方向、左右方向および前後方向として設定する。
図１に示すように、インバータ装置１０は、その下部に、図示しない交流電源装置に接続される入力端子、並びに、例えば図示しない誘導電動機などの負荷に接続される出力端子などを備える。また、図示は省略するが、インバータ装置１０は、例えばＭＯＳＦＥＴやＩＧＢＴなどのスイッチング素子を３相ブリッジ接続して構成されるインバータ主回路、当該インバータ主回路を制御する制御部、その制御プログラムが格納された記憶手段などを備えている。こうして、インバータ装置１０は、交流電源装置から電源が与えられ、制御プログラムに基づきインバータ主回路が制御されることにより、誘導電動機などの負荷を駆動するようになっている。
【０００９】
このインバータ装置１０の本体を構成する筐体１１は、例えばプラスチック材料からなり、ほぼ矩形箱状をなす。そして、この筐体１１は、詳しくは後述する開閉扉１３の一部を除き、その全体が３ｍｍ以上の板厚を有している。この筐体１１の手前側である前面側には、表示操作部１２が備えられている。この表示操作部１２は、インバータ装置１０内の制御部に接続されており、運転状態、運転周波数指令値、電圧、電流、入出力端子状態、トリップ履歴など各種の情報を表示可能な表示パネル１２ａ、運転の開始や停止などを入力したり運転周波数などの各種パラメータを設定したりするための操作ダイヤル１２ｂや各種の操作ボタン１２ｃなどを備えている。
【００１０】
また、インバータ装置１０の筐体１１には開閉扉１３が設けられており、この開閉扉１３を開くことで、インバータ装置１０の内部に設けられた配線口部１４を操作可能となる。この配線口部１４には、外部からの図示しない各種の配線が接続される。また、この場合、配線口部１４の近傍には、リレーの供電部１５が配置されている。この供電部１５は、特許請求の範囲に記載した「筐体内の所定の部品」に相当する。そして、開閉扉１３のうち当該開閉扉１３を閉めたときにこの供電部１５に対向する部分には、他の部分よりも板厚が薄い薄肉部１３ａが形成されている。つまり、この薄肉部１３ａは、この場合３ｍｍ以上の板厚を有していない。この薄肉部１３ａが存在することで、インバータ装置１０の筐体１１内に供電部１５がコンパクトに収められている。また、この開閉扉１３のうち供電部１５に対向しない部分、この場合、開閉扉１３の下部にも、他の部分よりも板厚が薄い薄肉部１３ｂが形成されている。つまり、この薄肉部１３ｂも、この場合３ｍｍ以上の板厚を有していない。この薄肉部１３ｂは、供電部１５に対向せず、閉じられた状態で配線口部１４をインバータ装置１０の下方に臨ませるようになっている。
【００１１】
次に、このインバータ装置１０において、所定の規格として安全性規格であるＵＬ規格（ＵＬ：Underwriters Laboratories）のＴＹＰＥ１構造を採用する場合について説明する。このＵＬ規格のＴＹＰＥ１構造は、主として、インバータ装置１０の構造的な強度や電気的な安全性を確保すべく採用される構造である。また、この場合、インバータ装置１０の筐体１１は、構造的な強度の一つである燃焼に対する保護を規定したＵＬ９４−５ＶＡという材料規格を満たしたプラスチック材料で構成されている。なお、本実施形態では、便宜上、板厚３ｍｍ以上でＵＬ９４−５ＶＡを満足するプラスチック材料を採用した場合について説明するが、使用する材料の特性や適用する規格に応じて所望の板厚は異なるので、その場合は、その使用する材料の特性や適用する規格に応じた板厚に読み替えるものとする。
【００１２】
図２に示すように、ＵＬ規格のＴＹＰＥ１構造を採用する場合、図２では手前側となるインバータ装置１０の下部、つまり、配線口部１４が臨む部分には、金属製の箱状カバー部材２１および金属製の板状カバー部材２２が取り付けられ、これにより、構造的な強度や電気的な安全性が確保される。なお、板状カバー部材２２は、複数の止め具２３によって箱状カバー部材２１に固定される。
【００１３】
ところで、このＵＬ規格のＴＹＰＥ１構造では、インバータ装置１０の筐体１１の板厚が３ｍｍ以上であることが要求されている。しかし、上記したように、開閉扉１３の一部、この場合、薄肉部１３ａおよび薄肉部１３ｂは、他の部分よりも薄く形成されており、従って、このＵＬ規格で要求される板厚、この場合、３ｍｍ以上の板厚を有していない。
そこで、本実施形態では、上記した板状カバー部材２２に代えて、図３に示す金属製の板状カバー部材３２を使用する。この板状カバー部材３２は、特許請求の範囲に記載した板部材に相当する。この板状カバー部材３２は、上記した板状カバー部材２２よりも長い長方形状に形成され、開閉扉１３に対向する部分に矩形状に開口した開口部３２ａを有する。なお、この場合も、板状カバー部材３２は、複数の止め具２３によって箱状カバー部材２１に固定される。
【００１４】
この板状カバー部材３２の開口部３２ａは、少なくとも開閉扉１３のうち薄肉部１３ａを除く部分に対向するように設けられている。従って、板状カバー部材３２は、少なくとも薄肉部１３ａ、つまり、開閉扉１３のうち供電部１５に対向する部分は覆うようになっている。この場合、上記したように、開閉扉１３には、薄肉部１３ａのみならず、供電部１５に対向しない薄肉部１３ｂが形成されているが、この薄肉部１３ｂの一部、この場合、開閉扉１３の中央側に位置する部分は開口部３２ａに対向し、従って、板状カバー部材３２によって覆われないようになっている。なお、薄肉部１３ｂの残りの部分、この場合、開閉扉１３の下端側に位置する部分は、開口部３２ａに対向せず、従って、板状カバー部材３２によって覆われるようになっている。
【００１５】
この実施形態によれば、筐体１１の一部、この場合、開閉扉１３の一部に他の部分よりも板厚が薄い薄肉部１３ａが存在していたとしても、その薄肉部１３ａを金属製の板状カバー部材３２で覆うことによって構造的な強度や電気的な絶縁性を確保することができる。これにより、インバータ装置１０の筐体１１の一部の板厚を薄くしたとしても、ＴＹＰＥ１構造を採用する場合にＵＬ規格の要求を満たすことができる。
【００１６】
なお、この場合、薄肉部１３ａについては、その全体を板状カバー部材３２で覆うが、薄肉部１３ｂについては、その一部を板状カバー部材３２で覆い、残りの部分を板状カバー部材３２で覆わないように構成した。即ち、薄肉部１３ａは、筐体１１内の供電部１５に対向する部分であり、構造的な強度や電気的な絶縁性を確保する要請が強い部分である。そのため、本実施形態では、この薄肉部１３ａの全体を板状カバー部材３２で覆うことにより、薄肉部１３ａにおける構造的な強度や電気的な絶縁性を確保するように構成した。これに対して、薄肉部１３ｂは、筐体１１内の供電部１５に対向しない部分であり、構造的な強度や電気的な絶縁性を確保する要請がそれほど強くない部分である。そのため、本実施形態では、この薄肉部１３ｂの全部ではなく一部を板状カバー部材３２で覆うことにより、薄肉部１３ｂの一部、この場合、外部に臨む下端側部分における強度や電気的な絶縁性を確保するように構成した。
【００１７】
そして、板状カバー部材３２に開口部３２ａを形成することで開閉扉１３の全体ではなく一部を覆う構成を採用したことにより、当該開口部３２ａの内部、つまり、筐体１１のうち板状カバー部材３２に覆われていない部分にスペースが生じる。そこで、本実施形態では、図４に示すように、この開口部３２ａ内のスペースに、インバータ装置１０に関する情報、例えば、装置の識別番号や製造番号などを記載したラベル１０Ａを貼付することが可能である。
【００１８】
（第２実施形態）
次に、第２実施形態を図５および図６を参照して説明する。図５に示すように、本実施形態は、金属製の板状カバー部材４２を２つの部材で構成した実施形態である。この板状カバー部材４２は、特許請求の範囲に記載した板部材に相当する。
即ち、板状カバー部材４２は、開口部４２ａを有する第１カバー部材４２Ａと、当該第１カバー部材４２Ａとは別体であり開口部４２ａを有しない第２カバー部材４２Ｂとに分離して設けられている。この第１カバー部材４２Ａは、特許請求の範囲に記載した「薄肉部を覆う部材」に相当し、第２カバー部材４２Ｂは、特許請求の範囲に記載した「薄肉部を覆わない部材」に相当する。
【００１９】
第１カバー部材４２Ａは、開閉扉１３のうち少なくとも薄肉部１３ａを覆うように取り付けられる。一方、第２カバー部材４２Ｂは、箱状カバー部材２１の開口部を塞ぐように取り付けられ、薄肉部１３ａおよび薄肉部１３ｂを含む開閉扉１３を覆わないように取り付けられる。なお、第１カバー部材４２Ａと第２カバー部材４２Ｂは、止め具４３によって相互に固定され、第２カバー部材４２Ｂは、複数の止め具２３によって箱状カバー部材２１に固定される。
【００２０】
この実施形態によっても、薄肉部１３ａの構造的な強度や電気的な絶縁性を確保することができ、ＴＹＰＥ１構造を採用する場合にＵＬ規格の要求を満たすことができる。
また、板状カバー部材４２を、薄肉部１３ａを覆う第１カバー部材４２Ａと薄肉部１３ａを覆わない第２カバー部材４２Ｂとに分離して設けたので、図６に示すように、インバータ装置１０とは外形や大きさが異なるインバータ装置１００に対しても、第１カバー部材４２Ａを共通に用いることができる。なお、この場合、第２カバー部材および箱状カバー部材については、インバータ装置１００の外形や大きさに応じた第２カバー部材４２Ｃおよび箱状カバー部材４４を用いる。なお、第２カバー部材４２Ｃは、特許請求の範囲に記載した「薄肉部を覆わない部材」に相当する。
【００２１】
（その他の実施形態）
本実施形態は、上述の各実施形態にのみ限定されるものではなく、例えば、次のように変形または拡張することができる。
図７に示すように、開閉扉１３に薄肉部が存在するか否かに関わらず、当該開閉扉１３の全体を、開口部を有しない板状カバー部材５２で覆う構成としてもよい。この板状カバー部材５２は、特許請求の範囲に記載した板部材に相当する。
筐体１１内の所定の部品は、上述の実施形態では供電部１５を例示したが、これに限られるものではなく、構造的な強度や電気的な絶縁性を確保することが求められる部品であれば、その他の部品も含まれる。
【００２２】
金属製の箱状カバー部材や金属性の板状カバー部材を構成する材料は、例えば、ステンレス、鉄、合金など種々の金属材料を採用することができる。
所定の規格としてＵＬ規格を例示したが、本実施形態は、その他の規格を採用する場合にも適用可能である。
薄肉部を板部材で覆うことで、当該部分の板厚を、規格が要求する所定の板厚以上とするようにしてもよいし、所定の板厚以下とするようにしてもよい。
板状カバー部材に形成する開口部の形状は、矩形状に限られるものではなく、例えば、円形状、楕円形状、多角形状であってもよい。要は、板状カバー部材が筐体１１内の所定の部品に対応する部分を覆うことができる形状となるのであれば、開口部の形状としては種々の形状を採用することができる。
【００２３】
以上に説明した少なくとも何れか１つの実施形態によれば、インバータ装置は、筐体の一部に所定の規格により定められた板厚よりも薄い板厚である薄肉部を有しており、その薄肉部を金属製の板部材によって覆う構成である。この構成によれば、筐体の一部に板厚の薄い部分が存在しているとしても、所望の規格の要求を満たすことができる。
上述の各実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
図面中、１０はインバータ装置、１０Ａはラベル、１１は筐体、１３ａ，１３ｂは薄肉部、１５は供電部（所定の部品）、３２，４２，５２は板状カバー部材（板部材）、４２Ａは第１カバー部材（薄肉部を覆う部材）、４２Ｂ，４２Ｃは第２カバー部材（薄肉部を覆わない部材）を示す。
【図１】
2013055807.tif 000003
【図２】
2013055807.tif 000004
【図３】
2013055807.tif 000005
【図４】
2013055807.tif 000006
【図５】
2013055807.tif 000007
【図６】
2013055807.tif 000008
【図７】
2013055807.tif 000009